(57)【要約】【課題】再剥離型のシート表示及びシートを一時的に接着し必要に応じて容易に剥離できる見開き画を有する隠蔽情報を透かして見ることのできない秘密情報を隠蔽した印刷物が発明されていた。【解決手段】コンピューターにて圧着糊部の情報を指定する情報指定手段を具備し出力機器にて部分圧着糊加工によりシート本体を折り込又は張り合わせの圧着加工を施す隠蔽シートの加工方法及び隠蔽シートを提供する。【選択図】      図２
2007106093.tif 000002
【特許請求の範囲】
【請求項１】
第一工程にて用紙基材に印刷を施し、第二工程にて前記印刷済シートを折り込又は張り合わせの圧着糊位置をコンピューターにて情報入力し、第三工程にて前記圧着糊位置情報をプリンターにて圧着糊を出力し、第四工程にて前記シート本体を折り込又は張り合わせの圧着加工を施すことを特徴とした隠蔽シートの加工方法及び隠蔽シート。
【請求項２】
秘密情報を隠蔽した印刷を施し、コンピューターにて圧着糊部の情報を指定する情報指定手段を具備し出力機器にて隠蔽される前記隠蔽印刷物の部分圧着糊加工によりシート本体を折り込又は張り合わせの圧着加工を施すことを特徴とした隠蔽シートの加工方法及び隠蔽シート。
【発明の詳細な説明】
【発明の属する技術の分野】
【０００１】本発明は、疑似接着を利用した隠蔽シートの加工方法及び隠蔽シートに関するものである。
【背景技術】
【０００２】従来、剥離紙の使用を省略することができる再剥離型のシート（特許公開番号Ｈ１１−７８３０６）が発明されていた。
また、表示シートを一時的に接着し必要に応じて容易に剥離できる見開き画を有する隠蔽情報を透かして見ることのできない情報隠蔽シート（特開２００５−７４６９９）が発明されていた。
【特許文献１】特許公開番号特開平１１−７８３０６
【特許文献２】特許公開番号特開２００５−７４６９９
【発明の開示】
【発明が解決しようとする課題】
【０００３】  これには次のような欠点があった。
従来、再剥離型のシート表示及びシートを一時的に接着し必要に応じて容易に剥離できる見開き画を有する隠蔽情報を透かして見ることのできない秘密情報を隠蔽した印刷物が発明されていた。【０００４】（イ）秘密情報を隠蔽した印刷物における隠蔽部の印刷基材において、圧着糊の剥離の目的において、印刷基材にフイルム加工又はラミネート加工を施す必要があった。
（ロ）秘密情報を隠蔽した印刷物における隠蔽部の印刷基材において、圧着糊の剥離の目的において、印刷基材にフイルム加工又はラミネート加工が施さされフイルム又はラミネートの分別廃棄が困難であった。
（ハ）秘密情報を隠蔽した印刷物における隠蔽部の印刷基材において、圧着糊の剥離の目的において、印刷基材にフイルム加工又はラミネート加工を施し隠蔽封印の目的において圧着糊の使用は基材全面に施されることで生産コストの増加の欠点があった。
（ニ）秘密情報を隠蔽した印刷物における隠蔽部の印刷基材において、圧着糊の剥離の目的において、印刷基材にフイルム加工又はラミネート加工を必要とせず、隠蔽封印の目的における圧着糊の部分使用により秘密情報を隠蔽した印刷物及び隠蔽シートの提案と実施がなされていなかった。
本発明は、これらの問題点を解決するためになされたものである。
【課題を解決するための手段】
【０００５】第一工程にて用紙基材に印刷を施し、第二工程にて前記印刷済シートを折り込又は張り合わせの圧着糊位置をコンピューターにて情報入力し、第三工程にて前記圧着糊位置情報をプリンターにて圧着糊を出力し、第四工程にて前記シート本体を折り込又は張り合わせの圧着加工を施すことを特徴とした隠蔽シートの加工方法及び隠蔽シートを提供する。【０００６】秘密情報を隠蔽した印刷を施し、コンピューターにて圧着糊部の情報を指定する情報指定手段を具備し出力機器にて隠蔽される前記隠蔽印刷物の部分圧着糊加工によりシート本体を折り込又は張り合わせの圧着加工を施すことを特徴とした隠蔽シートの加工方法及び隠蔽シートを提供する。
以上本発明の課題を解決するための手段として提供する。
【発明の効果】
【０００７】本発明は、秘密情報を隠蔽した印刷物における隠蔽部の印刷基材において、圧着糊の剥離の目的において、印刷基材にフイルム加工又はラミネート加工を必要とせず、隠蔽封印の目的における圧着糊の部分使用により秘密情報を隠蔽した印刷物及び隠蔽シートの提供するものである。【０００８】本発明の効果により、秘密情報を隠蔽した印刷物における隠蔽部の印刷基材のフイルム加工又はラミネート加工を必要とせず、コンピューターにて圧着糊部の情報を指定する情報指定手段を具備し出力機器にて隠蔽される圧着糊加工がなされることで従来全面に使用されていた圧着糊の加工コストに比較し最小のコストにて圧着糊加工が可能となる。【０００９】本発明の効果により秘密情報を隠蔽した印刷物において従来に比較した容易な技術提供と印刷基材におけるコストの削減が実現される。
本発明は、以上の効果を実現するものである。
【発明を実施するための最良の形態】
【００１０】  以下、本発明の実施の形態について図１乃至図４をもちいて説明する。
図１に記載されているのは、本発明隠蔽シート加工工程（１０）の実施構成を示したチャート図で印刷基材にて隠蔽シート印刷（１０１）のをおこない、印刷済シート隠蔽部糊位置設定（１０２）を定め隠蔽部糊位置データコンピューター入力（１０３）し印刷済シート出力隠蔽部糊位置データプリントアウト（１０４）より圧着糊加工をおこない隠蔽シート圧着（１０５）加工後、隠蔽シートが作成される。
本明細の図面において記載していないが、隠蔽シート印刷（１０１）加工後に必要に応じてコンピューター及びプリンターの活用にて数字、記号、文字等の追加印字が可能とされるものである。【００１１】図２に記載されているのは、前記図１に記載した本発明隠蔽シート加工工程（１０）の実施構成を示した実施の形態図で隠蔽シート印刷（１０１）後コンピューター（３０）にて隠蔽部糊位置データコンピューター入力（１０３）作業をおこないコンピューターデータの出力をプリンター（４０）にて印刷済シート出力隠蔽部糊位置データプリントアウト（１０４）より圧着糊加工をおこない図３記載の隠蔽シート（２０）の圧着糊（２０１）を設け、隠蔽おこなう部分の折線（２０３）から折り込み隠蔽シート圧着（１０５）加工後隠蔽シートが作成される。【００１２】図３に記載されているのは隠蔽シート（２０）本体で、隠蔽シート印刷（１０１）にて地紋、文字、記号、絵柄等の必要印刷が加工され、隠蔽シート印刷（１０１）加工後、印刷済シート隠蔽部糊位置設定（１０２）を定め隠蔽部糊位置データコンピューター入力（１０３）し印刷済シート出力隠蔽部糊位置データプリントアウト（１０４）より圧着糊（２０１）を設け、隠蔽おこなう部分の折線（２０３）から折り込み隠蔽シート圧着（１０５）加工後隠蔽シートが作成される。
本発明、隠蔽シートの加工方法及び隠蔽シートに使用される圧着糊は擬似装着されるもので、一度隠蔽開封剥離されると再度の接着が不可能な圧着糊で部分的な圧着糊の使用により印刷基材において、フイルム加工又はラミネート加工を必要としない秘密情報を隠蔽した印刷物及び隠蔽シートの提供を可能としたものである。【００１３】図４に記載されているのは隠蔽シート（２０）の実施の応用例で、隠蔽シート印刷（１０１）加工後、印刷済シート隠蔽部糊位置設定（１０２）を定め隠蔽部糊位置データコンピューター入力（１０３）し印刷済シート出力隠蔽部糊位置データプリントアウト（１０４）より圧着糊（２０１ａ）及び（２０１ｂ）を設け、折線（２０３ｂ）と折線（２０３ａ）から折り方向Ａ、折方向Ｂの順に折り込まれ隠蔽シート圧着加工後に隠蔽シートが作成される。
本明細の図４の記載の隠蔽シート（２０）の実施の応用例においては、二つの折り線より３面折りの構成にて記載しているが、実施においては必要の折面数および隠蔽シートにおける形状、三角形でも可能とされるものである。
以上、本発明の構成で、実施において下記に示す。【００１４】本発明の実施
従来、再剥離型のシート表示及びシートを一時的に接着し必要に応じて容易に剥離できる見開き画を有する隠蔽情報を透かして見ることのできない秘密情報を隠蔽した印刷物が実施されていた。【００１５】本発明は、秘密情報を隠蔽した印刷物における隠蔽部の印刷基材において、圧着糊の剥離の目的において、印刷基材にフイルム加工又はラミネート加工を必要とせず、隠蔽封印の目的における圧着糊の部分使用により秘密情報を隠蔽した印刷物及び隠蔽シートの提供の実施をするものである。【００１６】本発明の実施はくじ引きや販売促進における抽選などに実施されるもので、また隠蔽部糊位置データコンピューター入力し印刷済シート出力隠蔽部糊位置データプリントアウトにより圧着糊を設ける方法においては本明細に記載されていない事項においても実施されるものである。
以上、本発明は実施される。
【産業上の利用可能性】
【００１７】本発明の産業上の利用可能性により、秘密情報を隠蔽した印刷物における隠蔽部の印刷基材のフイルム加工又はラミネート加工を必要とせず、コンピューターにて圧着糊部の情報を指定する情報指定手段を具備し出力機器にて隠蔽される圧着糊加工がなされることで従来全面に使用されていた圧着糊の加工コストに比較し最小のコストにて圧着糊加工が可能となる。【００１８】本発明の産業上の利用可能性により秘密情報を隠蔽した印刷物において従来に比較した容易な技術提供と印刷基材におけるコストの削減が実現され、本発明隠蔽シートの加工方法及び隠蔽シートはくじ引きや販売促進に抽選など、隠蔽シートによる企画販売が産業上利用される。
本発明は、以上の構成より産業上利用されるものである。
【図面の簡単な説明】
【００１９】
【図１】  本発明隠蔽印刷におけるチャートの図である。
【図２】  本発明隠蔽印刷における構成全体のチャート図である。
【図３】  本発明隠蔽印刷より作成されたシート本体の図である。
【図４】  本発明隠蔽印刷より作成されたシート本体の応用実施例の図である。
【符号の説明】
【００２０】１０．  隠蔽シート加工工程
１０１．隠蔽シート印刷
１０２．印刷済シート隠蔽部糊位置設定
１０３．隠蔽部糊位置データコンピューター入力
１０４．印刷済シート出力隠蔽部糊位置データプリントアウト
１０５．隠蔽シート圧着
２０．  隠蔽シート
２０１．圧着糊
２０１．圧着糊ａ
２０１．圧着糊ｂ
２０２．地紋印刷
２０３．折線
２０３．折線ａ
２０３．折線ｂ
【図１】
2007106093.tif 000003
【図２】
2007106093.tif 000004
【図３】
2007106093.tif 000005
【図４】
2007106093.tif 000006